(57)【特許請求の範囲】
【請求項１】
第１の物理量の２次ディスプレイ（２）を有する機構（１００）であって、
前記２次ディスプレイ（２）を第１のディスプレイ（１）を有するムーブメント（６）へ又はムーブメント（６）から係合する／係合解除する第１の係合／係合解除手段の制御手段を作動させるように構成される第１の押しボタン（４）を有し、
前記２次ディスプレイは
ピボット運動する前記２次ディスプレイ用の第１の物理量の筒カナハートカム（３６）と、
前記第１の係合／係合解除手段の制御手段を係合解除することによって、そして前記筒カナハートカム（３６）をその元の位置に戻すことによって前記２次ディスプレイ（２）を零にリセットする前記２次ディスプレイ（２）用の第２の押しボタン（５）と、
第２の係合／係合解除制御手段とを有し、この第２の係合／係合解除制御手段が、
ピボット運動する時間帯車組（２０）であって、前記ムーブメント（６）とかみ合う摩擦車（２１）と、前記時間帯車組（２０）が係合位置にあるときに第２の物理量の筒カナハートカム（７０）及び／又は第３の物理量の筒カナハートカム（８０）を直接的に又は間接的に駆動する時間帯車（２５）とを有し、前記摩擦車（２１）と前記時間帯車（２５）とは同軸であって摩擦係合によって連動可能な、時間帯車組（２０）、又は
前記第１の係合／係合解除手段の制御手段内に含まれている制御レバー（１３２）によって支持されている係合機構である時間帯間機構（９３）であって、前記ムーブメント（６）と直接かみ合っている下部車（９８）と、前記時間帯間機構（９３）が係合位置にあるときに少なくとも前記第２の物理量の筒カナハートカム（７０）及び／又は前記第３の物理量の筒カナハートカム（８０）を直接的又は間接的に駆動するように構成される上部車（９６）とを有する時間帯間機構（９３）
のいずれかを有することを特徴とする、機構（１００）。
【請求項２】
前記機構（１００）は、少なくとも１つの物理量の前記第１のディスプレイ（１）を有する、少なくとも１つの物理量を計測及び／又は生成する前記ムーブメント（６）の少なくとも第１の物理量の少なくとも前記２次ディスプレイ（２）を形成しているオンデマンド表示機構を形成し、前記２次ディスプレイ（２）の前記機構（１００）は、
前記２次ディスプレイ（２）の少なくとも１つの表示インジケータの前記ムーブメント（６）への係合を許可または防止するように構成される前記第１の係合／係合解除手段の前記制御手段を作動させるように構成される、前記第１の押しボタン（４）と、
前記２次ディスプレイ（２）の零リセットを制御する手段を作動させるように構成される前記第２の押しボタン（５）と、を有し、
前記第１の物理量の前記表示インジケータを駆動するように、前記２次ディスプレイ（２）は、歯がなくピボット軸を中心に自由にピボット運動し、ハート片（４２）を有する前記第１の物理量の筒カナハートカム（３６）であって、前記機構（１００）内に含まれているハンマーと連動して前記ハート片をその元の位置に戻すように構成される前記第１の物理量の筒カナハートカム（３６）を有し、
前記第１の係合／係合解除手段の前記制御手段は前記第１の物理量の筒カナハートカム（３６）の前記ムーブメント（６）に対する係合又は係合解除をそれぞれ制御し、
前記第２の押しボタン（５）は前記第１の係合／係合解除手段の制御手段を係合解除するように制御することと、前記第１の物理量の筒カナハートカム（３６）をその元の位置に戻すこととの両方によって、前記２次ディスプレイ（２）の前記零リセットを制御し、
前記２次ディスプレイ（２）は、第２の物理量及び／又は第３の物理量の前記表示インジケータを駆動するように、互いに独立して自由にピボット運動し、第２及び／又は第３のハート片（４２；７２；８２）をその元の位置に戻すために前記２次ディスプレイ（２）の前記機構（１００）内に含まれている第２及び／又は第３のハンマーと連動するように各々が構成される前記第２及び／又は第３のハート片（４２；７２；８２）をそれぞれ有する第２の物理量の筒カナハートカム（７０）及び／又は第３の物理量の筒カナハートカム（８０）を少なくとも有し、
前記第１の押しボタンは、前記第２の物理量の筒カナハートカム（７０）及び／又は前記第３の物理量の筒カナハートカム（８０）の前記ムーブメント（６）への係合を許可または防止するように構成される前記第２の係合／係合解除制御手段を制御し、
前記第２の押しボタン（５）は前記第２の係合／係合解除制御手段を係合解除して、前記ハート片（４２；７２；８２）をそれらの元の位置に戻すことによって前記２次ディスプレイ（２）の前記零リセットを制御すること、を特徴とする、請求項１に記載の機構（１００）。
【請求項３】
前記第１の係合／係合解除手段は、前記第１の物理量の筒カナハートカム（３６）の前記ピボット軸内に含まれている円錐に対する円錐穴（４１）、及び前記ムーブメント（６）内に含まれている又はそれに接続されている円錐穴に対する円錐（４９）との組み合わせによって形成されることを特徴とする、請求項１に記載の機構（１００）。
【請求項４】
前記第１の物理量の筒カナハートカム（３６）と少なくとも前記第２の物理量の筒カナハートカム（７０）及び／又は前記第３の物理量の筒カナハートカム（８０）は前記ムーブメント（６）に直接接続されているか、内部に設けられている軸（３０Ａ）に同軸に取り付けられていることを特徴とする、請求項１に記載の機構（１００）。
【請求項５】
前記２次ディスプレイ（２）の前記機構（１００）は、フライバックレバー（６０）をさらに有し、前記２次ディスプレイ（２）は、少なくとも第２の物理量及び／又は第３の物理量の前記表示インジケータを駆動するように、互いに独立してピボット運動し、前記ハート片を元の位置に戻すために前記２次ディスプレイ（２）の前記機構（１００）のフライバックレバー（６０）内に含まれているハンマーと連動するように各々が構成される前記ハート片（４２；７２；８２）をそれぞれ有する前記第２の物理量の筒カナハートカム（７０）及び／又は前記第３の物理量の筒カナハートカム（８０）を少なくとも有し、押し込まれたときに前記第２の押しボタン（５）は前記フライバックレバー（６０）の動きを前記ハート片（４２；７２：８３）上に載るように制御し、前記ハート片をそれらの元の位置に戻すことを特徴とする、請求項２に記載の機構（１００）。
【請求項６】
前記２次ディスプレイ（２）は自由にピボット運動するように取り付けられていることを特徴とする、請求項１に記載の機構（１００）。
【請求項７】
請求項５に記載の２次ディスプレイを有する機構と、前記２次ディスプレイが係合される通常時間モードでは第１の連続ディスプレイ（１）として動作する第１のディスプレイを有するムーブメント（６）と、からなる時計（１０００）のデュアルディスプレイ機構（１００）であって、前記ムーブメント（６）は、日の裏機構（１３）によって前記第１のディスプレイ（１）の少なくとも針設定を調整する竜頭（３）とを有し、前記第１の物理量の筒カナハートカム（３６）は秒筒カナハートカム（３６）であることを特徴とする、時計（１０００）のデュアルディスプレイ機構（１００）。
【請求項８】
前記第２の物理量の筒カナハートカム（７０）は分筒カナハートカムであって、前記第３の物理量の筒カナハートカム（８０）は時筒カナハートカムであることを特徴とする、請求項７に記載の機構（１００）。
【請求項９】
前記第２の係合／係合解除制御手段は前記時間帯車組（２０）を有し、前記竜頭（３）は使用者による操作時に前記時間帯車（２５）が前記日の裏機構（１３）と中間日の裏機構車組（６２）を介して連動する前記２次ディスプレイ（２）を設定する位置（Ｔ３）を占めるように構成されることを特徴とする、請求項７に記載の機構（１００）。
【請求項１０】
前記第１の押しボタン（４）は、コラムホイール（５０）内に含まれ、歯付きの上部車（５１）によって構成される第１の係合／係合解除手段の制御手段を作動させ、アーバ（５５）を中心にピボット運動する摺動歯車（５４）の第１の支持表面と連動するように構成される同軸の歯付きの下部車（５２）に固定されている歯（４Ａ）を有する、又はこれを直接駆動し、前記摺動歯車（５４）は停止レバー（３２）の縁（５８）と連動する第２の支持表面（５７）を有し、前記停止レバー（３２）は前記アーバ（３３）を中心にピボット運動し、前記ハートカム（３６）を上昇及び／または下降可能にする前記秒筒カナハートカム（３６）内に含まれている傾斜（４３）と連動するように構成される面取り（４４）を備えている凹部（３１）を有することを特徴とする、請求項７に記載の機構（１００）。
【請求項１１】
前記第２の物理量の筒カナハートカム（７０）は分筒カナハートカムであって、前記第３の物理量の筒カナハートカム（８０）は時筒カナハートカムであり、
前記停止レバー（３２）はレバーばね（３４）によって前記摺動歯車（５４）に向けて戻り、前記第１の係合／係合解除手段の制御手段が係合位置にあるときに前記分筒カナハートカム（７０）とかみ合わせるように前記中間分針車組（９０）を支持しているアーバ（６６）を駆動するように構成されるレバーノッチ（８６）を有し、中間分針車（９０）は前記アーバ（６６）を中心に自由にピボット運動することを特徴とする、請求項１０に記載の機構（１００）。
【請求項１２】
前記第２の係合／係合解除制御手段は摩擦車組を有し、前記摩擦車（２１）は、クランプ（２２）及び／又は摩擦表面（２４）の形態の摩擦機構（２２、２４）を介して、前記時間帯車組（２０）の前記下部アーバ（２６）及び／又は前記時間帯車組（２０）の中間位置の前記時間帯車組内に含まれている下部表面（２４）上で支持されており、前記摩擦機構（２２、２４）は、前記２次ディスプレイ（２）だけを動作させるように係合解除可能な追加の筒カナを構成するように前記時間帯車（２５）を前記摩擦車（２１）から係合解除し、前記摩擦車は前記時間帯車（２５）とかみ合い、前記ムーブメント（６）と連動するように構成される又は前記ムーブメント（６）内に含まれている設定針ピニオン（９）を延長している設定針延長ピニオン（１１）によって作動可能な中間車（６２）によって制御されることを特徴とする、請求項７に記載の機構（１００）。
【請求項１３】
前記第２の押しボタン（５）は前記秒筒カナハートカム（３６）と前記分筒カナハートカム（７０）上に載り、それらの元の位置に戻るようにフライバックレバー（６０）を駆動し、フライバックばね（７７）はノッチ（７９）を介して前記フライバックレバー（６０）内に含まれているパイオン（７８）と連動可能に構成されており、前記ばね（７７）は前記フライバックレバー（６０）に前記レバーを前記秒筒カナハートカム（３６）と前記分筒カナハートカムから離れさせるように力を作用させることを特徴とする、請求項８に記載の機構（１００）。
【請求項１４】
前記第２の係合／係合解除制御手段は前記時間帯間機構（９３）を有し、前記第１の押しボタン（４）は、コラムホイール（５０）内に含まれており、ピボット運動が前記秒筒カナハートカム（３６）を上昇及び／または下降可能にするように、第１の摺動歯車（１５４）のピボット運動の向きに依存して前記制御レバー（１３２）に前記軸（３０Ａ）に平行な上向き又は下向きの直動運動をさせる前記第１の摺動歯車（１５４）の面取りされている縁（２５４）と連動するように構成される傾斜縁（２３２）を有する前記制御レバー（１３２）と連動するように構成される前記面取りされている縁（２５４）を周辺に有する前記第１の摺動歯車（１５４）の第１の支持表面と連動するように構成される同軸の歯付きの下部車（５２）に固定されている歯付きの上部車（５１）によって構成される前記第１の係合／係合解除手段の前記制御手段を作動させる歯（４Ａ）を有する、又はこれを直接駆動することを特徴とする、請求項７に記載の機構（１００）。
【請求項１５】
前記第２の係合／係合解除制御手段は前記時間帯間機構（９３）を有し、前記時間帯間機構（９３）は前記制御レバー（１３２）のいずれかの側に、ハブ（９７）を介して互いに固定されている上部フランジ（９４）と前記下部車（９８）と、また、前記制御レバー（１３２）と前記上部フランジ（９４）との間に、前記２次ディスプレイ（２）の前記機構（１００）内に含まれている時間帯車組（１２０）の車（１２１）に常にかみ合った状態で前記ハブ（９７）に対して軸方向に移動可能な前記上部車（９６）とを有し、前記時間帯間機構（９３）の係合又は係合解除は、前記ハブ（９７）内に含まれているショルダ（９７Ａ）上で発生し、前記上部車（９６）は前記下部車（９８）と連動するようにばね（９５）の作動によって前記ハブ（９７）に押し付けられている係合位置では前記上部車（９６）内に含まれている相補形状のスロープ（９６Ａ）と連動するように構成されており、係合解除位置では、前記制御レバー（１３２）の下方の前記第１の摺動歯車（１５４）の係合に起因して、前記レバーが前記第１の摺動歯車（１５４）によって持ち上げられ、前記上部車（９６）が前記上部フランジ（９４）に向けて上昇し、前記上部車（９６）を前記下部車（９８）から係合解除することを特徴とする、請求項７に記載の機構（１００）。
【請求項１６】
前記第２の係合／係合解除制御手段は、前記時間帯間機構（９３）を有し、前記時間帯間機構（９３）は前記時間帯車組（１２０）の前記ピボット軸（２０Ａ）を中心にピボット運動するように取り付けられているクロノグラフレバー（１６５）を有し、前記クロノグラフレバー（１６５）は第１の端部と前記２次ディスプレイ（２）の前記機構（１００）の構造に固定されているばねアーム（２６５）とを有し、前記ピボット軸と前記ばねアーム（２６５）との間で前記時間帯車組（１２０）と前記２次ディスプレイ（２）、前記２次ディスプレイ（２）の前記分筒カナハートカム（７０）の歯（７２）と連動するように構成されるクロノグラフ分駆動車（６８）と、前記時筒カナハートカム（８０）の歯（８２）と連動するように構成される中間クロノグラフ時針車（７６）の両方と連動する車の積層を支持していることを特徴とする、請求項１３に記載の機構（１００）。
【請求項１７】
前記クロノグラフレバー（１６５）は、前記フライバックレバー（６０）内に含まれているハンマー（６０Ｘ、６０Ｙ、６０Ｚ）によって前記ハート片（４２；７２；８２）を零にリセットする前に、前記クロノグラフ分駆動車（６８）を前記分筒カナハートカム（７０）の前記歯（７２）から係合解除し、前記中間クロノグラフ時針車（７６）を前記時筒カナハートカム（８２）の前記歯（８２）から係合解除するように、前記第２の押しボタン（５）によって前記フライバックレバー（６０）にピボット運動させたときに、前記ピボット運動制御するように前記フライバックレバー（６０）によって支持されているピン（２０８）と連動するように構成される支持面（３６５）を前記第１の端部に対向している第２の端部の位置に有し、前記第２の押しボタン（５）の解放によって前記ハンマーが前記ハート片から離れるように移動し、前記ハート片が自由にピボット運動するままにし、前記フライバックレバー（６０）が戻しばね（７７）によって前記時間帯車組（１２０）によって駆動されている車を前記２次ディスプレイ（２）の前記ハート片と再びかみ合うようにすることを特徴とする、請求項１６に記載の機構（１００）。
【請求項１８】
前記２次ディスプレイ（２）は時計（１０００）の中心の位置に存在し、前記機構（１００）は１．８ｍｍ以下の厚みを有することを特徴とする、請求項１に記載の機構（１００）。
【請求項１９】
請求項２に記載の機構（１００）であって、時計（１０００）に追加するように構成された機構。
【請求項２０】
請求項２に記載の機構（１００）を有することを特徴とする、時計（１０００）。
【発明の詳細な説明】
【技術分野】
【０００１】
本発明は、第１の物理量の追加の２次ディスプレイのための機構に関し、この機構は、当該２次ディスプレイを、第１のディスプレイを有するムーブメントへ又はムーブメントから係合／係合解除する第１の手段の制御手段を作動させるように構成される第１の押しボタンを有する。２次ディスプレイは、ピボット運動する第１の物理量の筒カナハートカムであって、その係合／係合解除手段はムーブメントへの又はムーブメントからの係合／係合解除を制御するように構成される第１の物理量の筒カナハートカムと、係合／係合解除手段を係合解除して筒カナハートカムをその元の位置に戻すことによって２次ディスプレイをリセットする第２の零リセット押しボタンとを有する。
【０００２】
本発明は１つのムーブメントと、第１のディスプレイと、設定位置において第１のディスプレイの針の設定を日の裏機構によって少なくとも調整する竜頭とを有する時計に追加されるように構成される追加の機構にも関する。
【０００３】
本発明は少なくとも１つのそのような追加のオンデマンド表示機構及び／又は少なくとも１つのそのような追加の機構と、追加のオンデマンド表示機構又は追加の機構に連動している少なくとも１つの他のディスプレイとを有する複数表示モジュールにさらに関する。
【０００４】
本発明は１つのムーブメントと、第１のディスプレイと、設定位置において第１のディスプレイの針の設定を日の裏機構によって少なくとも調整する竜頭とを有する時計にもさらに関する。
【０００５】
本発明は、複数のディスプレイを有する時計の分野にも関する。より詳細には、本発明はクロノグラフ機能及び／又は時間帯機能を有する時計に関する。
【背景技術】
【０００６】
オンデマンド表示機構は一般的ではなく、常に比較的複雑である。
【０００７】
Ａｎｄｒｅａｓ  Ｓｔｒｅｈｌｅｒ名義の特許文献１は係合及び差動歯車を使用していくつかの異なる物理量を表示する機構を開示している。この装置は、軸がプレートに垂直な遊星歯車が存在するために一定の厚さが必要である。
【０００８】
Ｍａｕｒｉｃｅ  Ｌａｃｒｏｉｘ  ＳＡ名義の特許文献２は最少数の針を使用していくつかのデータを表示するオンデマンド表示装置を提案している。切り替え可能な伝達機構は、表示する第１の情報を表すように設定されている１番車組によって駆動される伝達ピニオンを有する。第１のフライバックハートカムは伝達ピニオン上に自由に取り付けられ、特定の場合に依存して、１番車組又は、表示される第２の情報を表すように設定されている２番車組のいずれかによって駆動されている。第２のフライバックハートカムは自由に取り付けられている伝達車を支持している伝達ピニオンに固定されている。この伝達車は、第１／第２のハートカムに対する応力が予め加えられている第１／第２のばねによって予め応力が加えられている第１／第２のハンマーを支持している。
【０００９】
伝達車の周囲を回転している切り替え車は、第１／第２のハンマーに作用している第１／第２のカムを支持し、表示される第１／第２の情報に従って伝達車の位置を切り替えるために、第１／第２のハンマーと第１／第２のハートカムとの間の接触を交互に取り除く。伝達ピニオンを中心に自由に取り付けられている中間の制御車は、切り替え車にかみ合い、伝達機構制御装置によって制御されている制御車に固定されている。
【００１０】
第１の実施形態において、第１のフライバックハートカムを有する要素は、摩擦係合を使用して伝達ピニオンに自由に取り付けられ、１番車組によって駆動されている係合ディスクである。従って、第１のハートカムは計測された時間を表し、伝達ピニオンに取り付けられている第２ハートカムは現在の時刻を表している。係合ディスクはリセットハンマーと連動することによってリセットハートカムを支持している。この係合ディスクは、各ディスクを把持したり解放したりするクランプを備えているクロノグラフ制御機構によって回転が防止されていてもよい。
【００１１】
第２の実施形態において、第１のフライバックハートカムを有する要素は、摩擦係合を使用して伝達ピニオンに自由に取り付けられ、２番車組によって駆動されている車である。従って、第１のハートカムは２番車組に対応して表示される第２の情報を表し、伝達ピニオンに取り付けられている第２のハートカムは１番車組に対応して表示される第１の情報を表している。
【００１２】
クロノグラフに適用されるこの機構は、第１のスタート−ストップ押しボタンと、第２のリセット押しボタンと、伝達機構の状態を切り換える第３の切り換え押しボタンとを有する。この種類の機構は、依然として複雑であって、特にかさばり、既存のムーブメントに適合させることが困難であり、それは、特に第３の押しボタン用の竜頭に関してかなりの修正が必要なためである。この種類の機構は、追加の機構として適合させるのが困難で、ムーブメントの厚さ方向にかなりの空間が必要である。
【００１３】
ＧＥＯＲＧＥ  ＤＡＮＩＥＬＳ名義の特許文献３は、ストップ／スタート押しボタンとリセット押しボタンを有し、零リセットはハンマーと、スタート／ストップ押しボタンによって係合されたり係合解除されたりする筒カナハートカムとの間の連動によって達成される追加のクロノグラフ表示機構を開示している。
【００１４】
ＤＵＢＯＩＳ  ＴＥＣＨＮＩＱＵＥ  ＨＯＲＬＯＧＥＲＥ名義の特許文献４は、専用の押しボタンと摩擦係合とを備えているフライバック機構を開示している。第２の係合解除機構が、フライバックがリセットされ圧力が押しボタン上で維持されているときに、駆動機構を係合解除する。
【先行技術文献】
【特許文献】
【００１５】
【特許文献１】スイス特許第６９３  １５５号
【特許文献２】欧州特許発明第１，９５９，３１７号
【特許文献３】イギリス特許出願公開第２  ２６６  ７９１号
【特許文献４】欧州特許出願第１  １３６  ８９４号
【発明の概要】
【発明が解決しようとする課題】
【００１６】
しかし、これらの高性能機構は非常に複雑であって、作ったり調整したりするのが困難である。
【００１７】
本発明は、２重時間帯機能と、リセット押しボタンに圧力を作用させ即座に解放することによって、進行中のタイミング動作をリセットし、新規のタイミング動作を即座に開始するフライバック機能とを備えているクロノグラフ機構を組み込んだデュアルディスプレイ時計機構の製作を提案する。
【００１８】
本発明は、クロノグラフが動作しているかいないかにかかわらず、主ディスプレイと追加のディスプレイの両方で針をいつでも設定できるようにすることも提案する。
【課題を解決するための手段】
【００１９】
本発明は、第１の物理量の追加の２次ディスプレイを有する機構であって、２次ディスプレイを第１のディスプレイを有するムーブメントへ又はムーブメントから係合する／係合解除するように第１の手段の制御手段を作動させるように構成される第１の押しボタンを有する機構に関する。２次ディスプレイはピボット運動する第１の物理量の筒カナハートカムであって、その係合／係合解除手段はムーブメントへの又はムーブメントからの係合／係合解除を制御するように構成される第１の物理量の筒カナハートカムと、係合／係合解除手段を係合解除することによって、そして筒カナハートカムをその元の位置に戻すことによって２次ディスプレイを零にリセットする２次ディスプレイ用の第２のリセット押しボタンとを有する。本発明は、ピボット運動する時間帯車組であって、ムーブメントとかみ合う摩擦車と、時間帯車組が係合位置にあるときに第２の物理量の筒カナハートカム及び／又は第３の物理量の筒カナハートカムを直接的に又は間接的に駆動する時間帯車とを有し、摩擦車と時間帯車とは同軸であって摩擦係合によって連動可能な時間帯車組、又は第１の係合／係合解除手段の前記制御手段内に含まれている制御レバーによって支持されている時間帯間機構のいずれかを有する第２の係合／係合解除制御手段を有することを特徴としている。時間帯間機構は係合機構であって、ムーブメントと直接かみ合っている下部車と、時間帯間機構が係合位置にあるときに少なくとも第２の物理量の筒カナハートカム及び／又は第３の物理量の筒カナハートカムを直接的又は間接的に駆動するように構成される上部車とを有する。
【００２０】
本発明の特徴によれば、追加の表示機構は、少なくとも１つの物理量の第１のディスプレイを有し、少なくとも１つの物理量を計測及び／又は生成するムーブメントのための少なくとも第１の物理量の少なくとも２次ディスプレイを構成する、追加のオンデマンド表示機構を形成し、この機構は、
−２次ディスプレイの少なくとも１つの表示インジケータのムーブメントへの係合を許可したり防止したりするように構成される第１の係合／係合解除手段の制御手段を作動させるように構成される第１のスタート−ストップ押しボタンと、
−２次ディスプレイのリセットを制御する手段を作動させるように構成される第２の押しボタンと、
を有し、
−第１の物理量の表示インジケータを駆動するように、２次ディスプレイは、歯がなくピボット軸を中心に自由にピボット運動し、周辺ハート片であって、この機構内に含まれているハンマーと連動してハート片をその元の位置に戻すように構成されるハート片を有する第１の物理量の筒カナハートカムを有し、
−第１の係合／係合解除制御手段は第１の物理量の筒カナハートカムのムーブメントに対する係合又は係合解除をそれぞれ制御し、
−第２の押しボタンは第１の係合／係合解除制御手段を係合解除するように制御することと、第１の物理量の筒カナハートカムをその元の位置に戻すこととの両方によって、２次ディスプレイの零リセットを制御し、
−２次ディスプレイは、第２の物理量及び／又は第３の物理量の表示インジケータを駆動するように、互いに独立して自由にピボット運動し、ハート片をその元の位置に戻すためにこの機構内に含まれているハンマーと連動するように各々が構成される周辺ハート片をそれぞれ有する第２の物理量の筒カナハートカム及び／又は第３の物理量の筒カナハートカムを少なくとも有し、
−第１のスタート−ストップ押しボタンは、少なくとも第２の物理量の筒カナハートカム及び／又は第３の物理量の、筒カナハートカムのムーブメントへの係合を許可したり防止したりするように構成される第２の係合／係合解除制御手段を制御し、
−第２の押しボタンは第２の係合／係合解除制御手段を係合解除して、ハート片をその元の位置に戻すことによって、２次ディスプレイの零リセットを制御する。
【００２１】
本発明は少なくとも１つのそのような追加のオンデマンド表示機構及び／又は少なくとも１つのそのような追加の機構と、追加のオンデマンド表示機構又は追加の機構に連動している少なくとも１つの他のディスプレイとを有する複数表示モジュールに関する。
【００２２】
本発明は１つのムーブメントと、第１のディスプレイと、設定位置において少なくとも第１のディスプレイの針の設定を日の裏機構によって調整する竜頭とを有し、少なくとも１つのそのような追加のオンデマンド表示機構及び／又は少なくとも１つのそのような追加の機構、又は少なくとも１つのそのような複数表示モジュールを有することを特徴とする時計に関する。
【００２３】
本発明は、ブレーキを一切有しておらず、限られた数の部品に依存している。
【００２４】
本発明の他の特徴と利点とは、添付の図面を参照しながら以下の詳細な説明を読むことで明らかになろう。
【図面の簡単な説明】
【００２５】
【図１】本発明のデュアルディスプレイが組み込まれた時計の模式的前面図である。
【図２】本発明のデュアルディスプレイが組み込まれた時計の模式的前面図である。
【図３】本発明のデュアルディスプレイが組み込まれた時計の模式的前面図である。
【図４】本発明のデュアルディスプレイが組み込まれた時計の模式的前面図である。
【図５】本発明のデュアルディスプレイが組み込まれた時計の模式的前面図である。
【図６】第１の実施形態を示し、組み立ての順番に従っている本発明の機構の模式的な部分透視図であって、スタート／ストップ動作とも呼ばれる第１の係合／係合解除動作を特に示している図である。
【図７】第１の実施形態を示し、組み立ての順番に従っている本発明の機構の模式的な部分透視図であって、スタート／ストップ動作とも呼ばれる第１の係合／係合解除動作を特に示している図である。
【図８】第１の実施形態を示し、スタート／ストップ動作とも呼ばれる第１の係合／係合解除動作を特に示している図であって、第１の実施形態の機構に組み込まれている摩擦車を有する時間帯車組の透視図である。
【図９】第１の実施形態を示し、スタート／ストップ動作とも呼ばれる第１の係合／係合解除動作を特に示している図である。
【図１０】第１の実施形態を示し、スタート／ストップ動作とも呼ばれる第１の係合／係合解除動作を特に示している図であって、２次ディスプレイの係合解除位置で示した、本発明の機構が固定されている基本ムーブメントの秒ピボット軸を通過する平面に沿った模式的な部分断面図である。
【図１１】第１の実施形態を示し、スタート／ストップ動作とも呼ばれる第１の係合／係合解除動作を特に示している図であって、図１０の機構を２次ディスプレイの係合位置で示した図である。
【図１２】第１の実施形態を示し、スタート／ストップ動作とも呼ばれる第１の係合／係合解除動作を特に示している図であって、図１０の位置における、クロノグラフ制御レバーと本発明の秒ハート片との間の連動の詳細を示した、秒ピボット軸を通る平面に沿った模式的な部分断面図である。
【図１３】第１の実施形態を示し、組み立ての順番に従っている本発明の機構の模式的な部分透視図であって、スタート／ストップ動作とも呼ばれる第１の係合／係合解除動作を特に示している図である。
【図１４】第１の実施形態を示し、組み立ての順番に従っている本発明の機構の模式的な部分透視図であって、スタート／ストップ動作とも呼ばれる第１の係合／係合解除動作を特に示している図である。
【図１５】第１の実施形態を示し、組み立ての順番に従っている本発明の機構の模式的な部分透視図であって、スタート／ストップ動作とも呼ばれる第１の係合／係合解除動作を特に示している図である。
【図１６】第１の実施形態を示し、組み立ての順番に従っている本発明の機構の模式的な部分透視図であって、フライバックリセット動作を示している図である。
【図１７】第１の実施形態を示し、組み立ての順番に従っている本発明の機構の模式的な部分透視図であって、フライバックリセット動作を示している図である。
【図１８】第１の実施形態を示し、組み立ての順番に従っている本発明の機構の模式的な部分透視図である。
【図１９】第１の実施形態を示し、フライバックが解放されている位置にある図６〜１８の機構の模式的な部分平面図である。
【図２０】第１の実施形態を示し、フライバックが巻かれている位置にある図６〜１８の機構の模式的な部分平面図である。
【図２１】第１の実施形態を示し、様々な車組のピボット軸を通る破線部分に沿った、図６から２０の機構の運動学的連鎖の模式的な部分断面図である。
【図２２】第１の実施形態を示し、ムーブメントの竜頭が押し込まれ、針の設定動作が不可能であって、係合／係合解除制御装置が係合位置にある本発明の機構の模式的な部分的な上部平面図である。
【図２３】第１の実施形態を示し、ムーブメントの竜頭が押し込まれ、針の設定動作が不可能であって、係合／係合解除制御装置が係合位置にある本発明の機構の模式的な部分的な下部平面図である。
【図２４】第１の実施形態を示し、ムーブメントの竜頭が引き出され、針の設定動作が可能であって、係合／係合解除制御装置が係合解除位置にある本発明の機構の模式的な部分的な上部平面図である。
【図２５】第１の実施形態を示し、ムーブメントの竜頭が引き出され、針の設定動作が可能であって、係合／係合解除制御装置が係合解除位置にある本発明の機構の模式的な部分的な下部平面図である。
【図２６】第２の実施形態を示し、本発明の機構が固定されている基本ムーブメントの秒ピボット軸と、機構内に含まれているコラムホイールの軸とを通る平面に沿った、第２の実施形態のクロノグラフ制御レバーを動作させる運動学的連鎖の詳細を示した模式的な断面図である。
【図２７】第２の実施形態を示し、図３１の模式的な断面図に示している時間帯間機構と呼ばれる係合機構が係合位置にある、図２６の機構の模式的な透視図である。
【図２８】第２の実施形態を示し、図３１の模式的な断面図に示している時間帯間機構と呼ばれる係合機構が係合位置にある、図２６の機構の模式的な透視図である。
【図２９】第２の実施形態を示し、図３１の模式的な断面図に示している時間帯間機構が係合解除位置にある、図２６の機構の模式的な透視図である。
【図３０】第２の実施形態を示し、図３１の模式的な断面図に示している時間帯間機構が係合解除位置にある、図２６の機構の模式的な透視図である。
【図３１】第２の実施形態を示し、模式的な断面図である。
【図３２】第２の実施形態を示している図である。
【図３３】第２の実施形態を示し、時間帯間機構が機構内に含まれている時間帯車組にかみ合っている図２６〜３２の機構の模式的な透視図である。
【図３３Ａ】第２の実施形態を示し、時間帯間機構が機構内に含まれている時間帯車組にかみ合っている図２６〜３２の機構の、係合位置にある時間帯間機構の側面図である。
【図３３Ｂ】第２の実施形態を示し、時間帯間機構が機構内に含まれている時間帯車組にかみ合っている図２６〜３２の機構の、係合解除位置にある時間帯間機構の側面図である。
【図３３Ｃ】第２の実施形態を示し、時間帯間機構が機構内に含まれている時間帯車組にかみ合っている図２６〜３２の機構の、第２の実施形態の運動学的連鎖の図２１と同様の模式図である。
【図３４】第２の実施形態を示し、クロノグラフアーバのブリッジの下方の中間組み立て位置にある同じ機構の模式的な全体の透視図である。
【図３５】第２の実施形態を示し、クロノグラフ時筒カナハートカム及び分筒カナハートカムとクロノグラフレバーとが本発明のフライバック機構内に含まれている、中間組み立て位置にある同じ機構の模式的な全体の透視図である。
【図３６】第２の実施形態を示し、フライバック機構が完成している組み立て位置にある図３５の機構の模式的な透視図である。
【発明を実施するための形態】
【００２６】
本発明は、複数のディスプレイを有する時計の分野にも関する。本発明は、より具体的にはクロノグラフ機能を有する時計に関する。
【００２７】
本発明は、既存の時計のムーブメントに適合するようになされている。本発明はムーブメントに組み込むこともできる。
【００２８】
本発明の目的は、部品が少なくて薄い２次ディスプレイに汎用性を持たせながら、使用が非常に簡単になるようにすることである。
【００２９】
本発明は、１つの物理量を計測及び／又は生成するムーブメント６の少なくとも第１の物理量用の少なくとも２次ディスプレイ２を構成する追加のオンデマンド表示機構１００に関する。このムーブメント６は少なくとも１つの物理量の第１のディスプレイ１を有する。
【００３０】
追加のオンデマンド機構１００は以下のように構成される。
−２次ディスプレイ２の少なくとも１つの表示インジケータのムーブメント６への係合を許可したり防止したりするように構成される第１の係合／係合解除手段の制御手段を作動させるように構成される第１のスタート−ストップ押しボタン４を有する。この第１の押しボタン４はムーブメント６内に含まれている押しボタンからなっていてもよい。
−２次ディスプレイ２のリセットを制御する手段を作動させるように構成される第２の押しボタン５。この第２の押しボタン５はムーブメント６内に含まれている押しボタンからなっていてもよい。
−第１の物理量の表示インジケータを駆動するように、この２次ディスプレイ２は、歯がないことが好ましくピボット軸を中心に自由にピボット運動可能な第１の物理量の筒カナハートカム３６を有する。筒カナハートカム３は、ハート片４２をその元の位置に戻す機構１００のハンマーと連動するように構成されるハート片４２とを有する。
−第１の係合／係合解除制御手段は第１の物理量筒カナハートカム３６のムーブメント６に対する係合又は係合解除をそれぞれ制御する。
−第２の押しボタン５は第１の係合／係合解除制御手段を係合解除することと、第１の物理量筒カナハートカム３６のハート片４２をその元の位置に戻すこととの両方によって、２次ディスプレイ２の零リセットを制御する。
【００３１】
本発明によれば、追加のオンデマンド表示機構１００は、第１の変形例においてピボット運動する時間帯車組２０、又は、第２の変形例において時間帯間機構９３のいずれかを有する第２の係合／係合解除制御手段を有する。
【００３２】
第１の変形例において、ピボット運動する時間帯車組２０は、摩擦係合を介して互いに連動可能な２つの同軸の車、つまりムーブメント６とかみ合う摩擦車２１と、時間帯車組２０が係合位置にあるときに第２の物理量の筒カナハートカム７０及び／又は第３の物理量の筒カナハートカム８０を直接的に又は間接的に駆動する時間帯車２５とを有する。
【００３３】
第２の変形例において、時間帯間機構９３は、第１の係合／係合解除手段の制御手段内に含まれている制御レバー１３２によって支持されている。この時間帯間機構９３は係合機構である。それは、ムーブメント６と直接かみ合っている下部車９８と上部車９６とを有する。時間帯間機構９３が係合位置にあるときには、上部車９６は少なくとも第２の物理量の筒カナハートカム７０及び／又は第３の物理量の筒カナハートカム８０を直接的又は間接的に駆動するように構成される
【００３４】
機構１００は、いくつかの物理量の追加のディスプレイを形成することが好ましい。また、
−第１の物理量ディスプレイインジケータと、少なくとも第２の物理量及び／又は第３の物理量の表示インジケータとを駆動するために、この２次ディスプレイ２は、互いに独立してピボット運動可能な、それぞれ周辺のハート片４２、７２、８２を有する第１の物理量の筒カナハートカム３６と少なくとも第２の物理量の筒カナハートカム７０及び／又は第３の物理量の筒カナハートカム８０をそれぞれ有する。ハート片４２、７２、８２は各々が対応しているハート片をそれらの元の位置に戻すように機構１００内に含まれているハンマーと連動するように構成される
−第１のスタート−ストップ押しボタン４は第２の係合／係合解除制御手段を制御し、少なくとも第２の物理量の筒カナハートカム７０及び／又は第３の物理量の筒カナハートカムのムーブメント６への係合解除を許可したり防止したりするように構成される
−第２の押しボタン５は第２の係合／係合解除制御手段を係合解除して、ハート片４２、７２、８２をその元の位置に戻すことによって２次ディスプレイ２の零リセットを制御する。
【００３５】
より詳細に後述する好ましい実施形態において、本発明はムーブメント６、特に１つのムーブメント６、連続している通常の時刻表示モードである主ディスプレイとも呼ばれる第１のディスプレイ１と、追加のディスプレイである２次ディスプレイ２とを備えている時計１０００用のデュアルディスプレイ機構１００に特に関する。
【００３６】
追加の２次ディスプレイ２は、時間ディスプレイ、時間帯ディスプレイ、タイマー又はプログラマー又はタイミング装置、クロノグラフ又は他の装置からなっていてもよい。使用者は自由に用途を選択する。
【００３７】
２次ディスプレイ２は、いつでも変更してもよく、第１のディスプレイ１から要求に応じて係合解除してもよく、第１のディスプレイ１とは独立に調整可能である。
【００３８】
本発明の特定の好ましい実施形態においては、第２のディスプレイ２はクロノグラフ機能に接続されている。本発明の特定の用途において、このクロノグラフは、竜頭３による連続針設定装置に係合されている。本発明の１つの特徴によって、２次ディスプレイ２は、クロノグラフの動作中に、操作することができる。
【００３９】
竜頭３の異なる引き出し位置を選択することによって、第１のディスプレイ１及び／又は２次ディスプレイ２の針を独立に又は同時に設定するかどうかを使用者が選択可能であることが好ましい。
【００４０】
時計１０００又は機構１００、あるいは追加の機構は、竜頭３が押し込まれているときに動作可能な２次ディスプレイ２をスタート又はストップするスタート−ストップ機能を備えている第１の押しボタン４を有する。クロノグラフ機能の場合、このスタート−ストップ機能は、２次ディスプレイ２の３つの時針、分針、及び秒針に関係している。第１の押しボタン４はいつでも作動させることができる。
【００４１】
第２の押しボタン５は、２次ディスプレイ２内に含まれている全てのディスプレイ材、特に、後述のように、その時針、分針、及び秒針を零に初期化、又はリセットするための「フライバック」機能のために使用される。クロノグラフの動作中にこの動作が実施される場合、３つの針は第２の押しボタン５が解放されると即座に再びスタートする。クロノグラフが動作していないときにこの動作が実施されると、３つの針は零のままである。この第２の押しボタン５は、いつでも作動させることが可能で、竜頭３の位置に係わらず動作する。
【００４２】
操作は、竜頭３でいつでも実行可能であるが、操作が２次ディスプレイ２を妨げることはない。
【００４３】
竜頭３は数個の引き出し位置を有する。竜頭が完全に押し込まれた位置は、「Ｔ１」と呼ばれ、２次ディスプレイ２の修正に使用される中間位置は「Ｔ２」と呼ばれ、第１のディスプレイ１と第２のディスプレイ２の針を同時に設定するために竜頭が完全に引き出された位置は「Ｔ３」と呼ばれる。この場合、追加のディスプレイ、つまり２次ディスプレイ２は位置Ｔ２で修正される。
【００４４】
第１の中間の引き出し位置Ｔ２は、第１のディスプレイ１を変化させずに、２次ディスプレイ２の針を時と分とについて両方の方向に設定するためのものである。この操作中は、クロノグラフが停止している場合、２次ディスプレイ２の秒針は竜頭３が引き出された時に停止した位置にとどまる。そうでない場合、秒針は回転し続けることになる。竜頭３の引き出し位置Ｔ３についても、ムーブメントが停止秒システムを備えていなければ同じことが言え、本明細書に示している装置の場合にはムーブメントが停止秒システムを備えていない。この停止秒システムは、この場合にはなんら特別な利点は無く、実際には不必要に複雑でやっかいである。
【００４５】
完全に引き出されている位置Ｔ３によって、第１のディスプレイ１と２次ディスプレイ２とを同時に、そして時と分について両方向に修正することができる。
【００４６】
本発明の１つの重要な利点は、既存のムーブメント６の使用が可能なことである。
【００４７】
実際に、デュアルディスプレイ機構１００はほとんど動力を使用せず、使用するのは基本ムーブメントに対して使用される追加の車組に起因する摩擦分だけである。
【００４８】
図１〜５からわかるように様々なオプションを組み合わせることができる。たとえば、２次２４時間表示、日／夜表示、曜日表示、月表示、日付表示、第１及び２次ディスプレイに関連している日付、の第１のディスプレイと２次ディスプレイとの間で反転している時間帯表示、２次ディスプレイ２の角度位置である。これらのオプションは、決して限定的ではない。本発明の機構は、部品の数が削減され、ほとんど体積を占めないため、他の追加の複雑な部分を比較的に容易に統合することができる。
【００４９】
日付修正装置をその不用意な操作を防止するためにラグの下に配置することも可能である。
【００５０】
ディスプレイ、特に２次ディスプレイ２は、特にタイマー機能については、両方向に設定できなければならない。
【００５１】
本発明の実施形態を既存のムーブメント６を元にして、非限定的に説明する。この説明は、「ＥＴＡ  ２８９２」ムーブメントへの適合の例に関する。ムーブメントは、追加の支持プレート８によって支持されている追加のステージ７を配置することによって適合させることが好ましい。
【００５２】
図６〜２５は第１の実施形態を示し、以下で説明する。
【００５３】
本発明によれば、この第１の実施形態において、第２の係合／係合解除制御手段は、ピボット運動が可能で、互いに摩擦において、つまりムーブメント６と時間帯車２５にかみ合っている摩擦車２１において連動するように構成される２つの同軸車を有する時間帯車組２０を有する。時間帯車組２０が係合位置にあるときには、時間帯車２５は少なくとも第２の物理量の筒カナハートカム７０及び／又は第３の物理量の筒カナハートカム８０を直接的又は間接的に駆動するように構成される。
【００５４】
図６からわかるように基本ムーブメント６は、ムーブメント６のキャッスル車とかみ合っている、日の裏機構ブリッジ８Ａの他方の側で設定針延長ピニオン１１によって上部ステージ７に向けて延びている中間設定針車９を有する。竜頭３の位置に依存して、この延長ピニオン１１は、後述の中間車組６２と連動したり連動しなかったりしてもよい。
【００５５】
ムーブメント６は、１時間あたり１回転する分針車１５と中間輪列１４を介してかみ合っている中心を外れていることが好ましい日の裏機構１３によって調整可能な時針車１２を有する。時針車１２は、プレート１２Ａを介してムーブメント６のプレート上で保持されている。
【００５６】
分針車１５は、図６からわかるように２つのステージ１７と１８を有する中間減速歯車１６の形態の減速ステージとかみ合っている。上部ステージ１７は、図８に示している時間帯車組２０の下部、時間帯車組２０の特定の実施形態においては、具体的には摩擦車２１の歯２９と連動している。下部ステージ１８は分針車１５とかみ合っている。
【００５７】
本発明によれば、この摩擦車２１は、時間帯車組２０が中間位置にあるときに、クランプ２２及び／又は時間帯車組２０の下部アーバ２６の摩擦表面及び／又は時間帯車２５の下部表面２４の形態の摩擦機構によって支持されている。摩擦車２１と時間帯車２５とによって形成される摩擦車組（２１、２５）の機能は、第２のディスプレイ２だけを操作するように係合解除可能な追加の筒カナを構成するように、時間帯車２５を摩擦車２１から係合解除することであるが、それは、ムーブメント６と連動するように構成されるか、ムーブメント６内に含まれている設定針ピニオン９を延長している設定針延長ピニオン１１によって操作されたり操作されなかったりする時間帯車２５とかみ合う中間車６２によって摩擦が制御されるからである。
【００５８】
時間帯車組２０は、図８からわかるように軸２０Ａのステージ車組である。本発明によれば、摩擦車２１によって形成される下部は、摩擦車２１と同軸の時間帯車組２０が中間位置にあるときにクランプ２２の形態のその摩擦機構及び／又は時間帯車組２０の下部アーバ２６上の摩擦表面及び／又は時間帯車２５内に含まれている下部表面２４を介して支持されている。アーバ２６上のクランプ２２の位置で摩擦が発生することが好ましい。時間帯車組２０は、時間帯車２５に対して摩擦車２１の反対側で、車組２０の上端部２８の近くに支持表面２７を有する。
【００５９】
摩擦車組（２１、２５）の機能は、２次ディスプレイ２だけを動作させるために、係合解除可能な追加の筒カナである摩擦車２１から時間帯車２５を係合解除することである。摩擦車２１は、図２１に示しているように、時間帯車２５とかみ合い、それに対して設定針延長ピニオン１１によって動作する又は動作しない中間車６２によって制御されている。
【００６０】
基本ムーブメント６の秒ピボット３０は、図６に示しているように分針車１５と同軸であって、本実施形態ではムーブメント６の中心の位置にある。図７からわかるように軸３０Ａのこのピボット３０は、クロノグラフに対する本発明の特定の用途においてはクロノグラフ制御レバーとも呼ばれる停止レバー３２内の凹部３１内に位置している。このクロノグラフ制御レバー３２は、レバーアーバ３３を中心にピボット運動し、矢印Ｆの方向にレバーばね３４によってムーブメント６の中心に向けて、つまり秒ピボット３０に向けて戻る。
【００６１】
図９は、基本ムーブメント６の秒ピボット３０に対して軸３０Ａに沿って同軸のクロノグラフ秒ピボット３５を示している。このピボット３５は、秒筒カナハートカム３６のハート片４２に組み合わされている２次ディスプレイ２のクロノグラフ秒針を担持するためのものであり、ハート片４２はクロノグラフ秒針を零にリセットする。図１０と１１に示しているように、この秒筒カナハートカム３６は、クロノグラフ秒ピボット３５の下方に、クロノグラフアーバのガイドブリッジ３９内に含まれている穴３８内に摺動して入るように構成されるステム３７を有し、完璧な軸方向の保持を保証している。このガイドブリッジ３９は、機構１００を支持しているプレート８上にねじ込まれていることが好ましい。
【００６２】
本発明によれば、第１の係合／係合解除手段は、第１の物理量筒カナハートカム３６のピボット軸内に含まれている円錐に対する円錐穴４１、及びムーブメント６内に含まれている又はそれに接続されている円錐穴に対する円錐４９との組み合わせによって構成されるこの構成は、この第１の実施形態と後述の第２の実施形態の両方又はさらなる実施形態に適用される。
【００６３】
より具体的には、第１の物理量筒カナハートカム３６が秒筒カナであるこの適用内で、下側において、この秒筒カナハートカム３６は、そのピボット軸に沿って、ムーブメント６の秒ピボット３０内に含まれている円錐ショルダ４９と連動するように構成される円錐穴４１を有する。当業者は、円錐と円錐穴とを入れ替えることによって、反対の構成をどのようにして作るかがわかるであろう。
【００６４】
ステム３７と円錐穴４１との間で、秒筒カナハートカム３６はフランジの形態で広がって、従来の時計ハート片の形態のカム４２を構成しているその周辺輪郭は、その元の位置に戻るようにハンマーと連動するように構成されるこのフランジは、図１１と１２からわかるように、レバー３２が平坦なピボット運動行うときに、ハートカム３６内に含まれている上部表面４５をガイドブリッジ３９内に含まれている下部表面４６に近づくように又はそれから離れるように移動させるために、レバー３２内の凹部３１の縁上の面取り４４などの相補形状の支持表面と連動するように構成されるふくらみ、つまり棚状の傾斜４３によって構成される支持表面を、その下部において、つまり円錐穴４１の側において有する。
【００６５】
秒筒カナハートカム３６は、ステム３７側のその上部に、戻しばね４８の第１の端部を受けるように構成されるハウジング４７も有し、その他方の端部はガイドブリッジ３９の下部表面４６上に載っている。
【００６６】
クロノグラフが停止しているときに、ガイドブリッジ３９の下部表面４６とハートカム３６の上部表面４５とは接触しているのに対して、円錐穴４１は、ムーブメント６の秒ピボット３０の円錐４９から距離Ｅの位置にある。
【００６７】
クロノグラフが動作している時には、ガイドブリッジ３９とハートカム３６との間に挿入されているばね４８は、円錐表面４１と４９とを互いに対して押し付けるようにして、完全な係合を形成するのに対して、秒筒カナハートカム３６のフランジの上部表面４５は、ガイドブリッジ３９の下部表面４６から離れている。
【００６８】
図１２に示しているように、レバー３２を、凹部３１の面取り４４がハートカム３６の斜面４２を押している押し込み位置にするために、第１のスタート−ストップ押しボタン４はその軸４Ａを中心にピボット運動する。ばね（図示せず）はそれを外向きに押し戻そうとする。
【００６９】
図１３と１６からわかるように、スタート−ストップボタン４は、コラムホイール５０内に含まれ、同軸の下部歯付き車５２と一体である上部歯付き車５１又は同様の機構によって構成される第１の係合／係合解除手段の制御手段を作動させる歯４Ａを有する、又はこれを直接駆動する。整数の歯を備え、たとえばコラムホイール５０などの一部を形成している上部歯付き車５１は、ジャンパーばね５３によって保持されている。第１の押しボタン４に圧力が作用すると、その歯４Ａはばねの作動によって外向きに戻る間に、図１３の矢印の向きに回転する。
【００７０】
図１４は、図１３に示している側とは反対の側において、上部歯付き車５１と同軸でかつ一体であって、同じコラムホイール５０に属している第２の下部歯付き車５２を示し、歯の数は上部歯付き車５１の半分であり、２つの連続している歯５２Ａと５２Ｂとは所与の時間に摺動歯車アーバ５５を中心にピボット運動するように取り付けられている第１の摺動歯車５４を定位置に固定している。この下部車５２は、アーバ５５を中心にピボット運動が可能な摺動歯車５４の第１の支持表面と連動するように構成される。この摺動歯車５４はストップレバー３２の縁５８と連動する第２の支持表面５７を有する。このストップレバー３２はアーバ３３を中心にピボット運動を行い、秒筒カナハートカム３６を上昇又は下降させる秒筒カナハートカム３６内に含まれている傾斜４３と連動するように構成される面取り４４を備えている凹部３１を有する。上部歯付き車５１がピボット運動すると、下部歯付き車５２もピボット運動し、第１の押しボタン４への使用者の動作に対応する第１の動きにおいて、摺動歯車５４内に含まれている第１の支持表面５６を歯５２Ａの先端を通して押し返す。従って、第１の摺動歯車５４の他方の端部内に含まれている第２の支持表面５７を秒ピボットの軸３０Ａに近づくように移動させ、従ってレバー３２を秒筒カナハートカム３６のフランジの下方に押し、それによってムーブメント６の秒ピボット３０と秒筒カナハートカム３６のステム３７とを係合させる。
【００７１】
第１の押しボタン４上での使用者の次の動作によって、上部歯付き車５１が新しい角度位置に固定される。従って、下部歯付き車５２は新しい角度位置を占め、そこで、２つの歯５２Ａと５２Ｃとが第１の支持表面５６を、第１の摺動歯車５４が秒ピボット軸３０Ａから離れ、クロノグラフ制御レバー３２がハートカム３６から解放され、従ってムーブメント６の秒ピボット３０から係合解除されている位置に固定する。ばね４８は、即座の係合解除を保証しているピボット３０のハートカム３６を恒常的に押し戻そうとする。第１の摺動歯車５４の第２の支持表面５７はレバーのピボット運動を制御するようにレバー３２の縁５８の上に載っている。
【００７２】
要するに、第１の摺動歯車５４は第１の押しボタン４への動作のたびに交互の移動をする。特定の変形例において、縁５８は、摺動歯車５４の第２の支持表面５７を安定した位置に保持するように、空洞５８Ａ、ノッチ、つまりｖ字状又は同様の形状のものを有する。
【００７３】
従って、摺動歯車５４は、図１４に示しているように、その役割を後述するフライバックレバー６０内に含まれているパイオン５９と連動する。
【００７４】
本発明によれば、第１の押しボタン４と第２の押しボタン５とが独立し、一方の機能が他方に優先していつでも発生しうることが有利である。
【００７５】
図９はプレート８内の長穴６１を示している。この長穴６１は、クロノグラフレバー６５によって支持されているアーバ６６を受け入れる。このクロノグラフレバー６５を図１５に示し、クロノグラフレバー６５は時間帯車組２０の軸２０Ａを中心に時間帯車組２０を軸方向に固定しているプレート６３の上方をピボット運動することができる。このクロノグラフレバー６５は、プレート８内の皿穴６７内を移動することが好ましい。図に示していない戻しばね、具体的にはＵ字形のばねはアーバ６６を長穴６１内に保持している。
【００７６】
本発明によれば、ストップレバー３２はレバーばね３４によって摺動歯車５４に向けて戻り、アーバ６６を駆動するように構成されるレバーノッチ８６を有する。このアーバ６６は、第１の係合／係合解除制御手段が係合位置にあるときに、分筒カナハートカム７０とかみ合うアーバ６６を中心に自由にピボット運動する中間分針車組９０を支持している。
【００７７】
クロノグラフレバー６５の長穴６１内でのピボット運動を開始するために、図２２〜２５に示しているノッチ８６はレバー３２のピボット軸３３と制御凹部３１との間の接続部材として動作する。クロノグラフ制御ミリングとも呼ばれるこのノッチ８６は摺動歯車６３のアーバ６６に当接する。２次ディスプレイ２の連続している動作位置において、つまり、押しボタン４が摺動歯車５４を秒ピボット軸３０Ａに向けて押し、レバー３２の面取り４４を秒ハートカム３６の傾斜４３と連動するようにしている時に、レバーばね３４はクロノグラフレバー６５の戻しばね６４よりも強く、ノッチ８６はアーバ６６を押す。従ってノッチ８６は、両方が秒ピボット３０の軸３０Ａと同軸の分筒カナハートカム７０と時筒カナハートカム８０とそれぞれかみ合う位置にアーバ６６上に互いに対して同軸に取り付けられているクロノグラフ分駆動車６８とクロノグラフ時駆動車７６も押す。
【００７８】
第１の押しボタン４上での次の操作によって、第１の摺動歯車５４を秒ピボット軸３０Ａから離れるように移動させ、レバー３２がハートカム３６から解放され、第１の摺動歯車５４、下部歯付き車５２、及びジャンパーばね５３によってこの位置に固定されたままとなる。それから、戻しばね６４がアーバ６６を秒ピボット軸３０Ａから離れるように移動させ、車６８と７６とをそれぞれ筒カナハートカム７０と８０から係合解除する。
【００７９】
使用者の操作時に、竜頭３は、時間帯車２５が日の裏機構１３と中間日の裏機構車組６２を介して連動する２次ディスプレイ２を設定する位置Ｔ３を占めるように構成される
【００８０】
竜頭３が引き出されている位置にあるときには、全ては筒カナによって駆動される。時刻設定中間車１１は、中間ピニオン６２から係合解除されている。
【００８１】
好ましい実施形態において、図に示しているように、第１の物理量筒カナハートカム３６と少なくとも第２の物理量筒カナハートカム７０及び／又は第３の物理量筒カナハートカム８０はムーブメント６に直接接続されているか内部に設けられているムーブメントクランプに同軸に取り付けられている。
【００８２】
本明細書で詳細に説明する実施形態において、第２の物理量の筒カナハートカム７０は分筒カナハートカムであって、第３の物理量の筒カナハートカム８０は時筒カナハートカムである。
【００８３】
これらの構成は、この第１の実施形態と後述の第２の実施形態の両方とさらなる実施形態に適用される。
【００８４】
図１０と１１に示しているように、穴３８を囲んでいる一体の部分３８Ａを有し、クロノグラフ秒ピボット３５のステム３７を案内するガイドブリッジ３９は、分筒カナハートカム７０によって覆われている。この分筒カナハートカム７０の下部は、ハートカムをその元の位置に戻すようにハンマーと連動するように構成されるハート片７１を有する。周辺部分は歯７２を有し、その上部はガイドブリッジ３９の一体の部分３８Ａ上をピボット運動する穴７４を有するアーバ７３を有する。
【００８５】
図１０と１１とに示しているように、この分筒カナハートカム７０はそれ自体が、同様に配置され、ハートカムをその元の位置に戻すようにハンマーと連動するように構成されるハート片８１をその下部に有する時筒カナハートカム８０によって同軸に覆われている。周辺部分は歯８２を有し、その上部は分筒カナハートカム７０のアーバ７３がピボット運動する穴８４を有するアーバ８３を有する。
【００８６】
秒筒カナハートカム３６は駆動されるのに歯は必要なく、それはムーブメント６の秒ピボット３０上への円錐の嵌め合わせによって実現されるが、筒カナハートカム７０と８０はピボット運動するのに歯７２と８２とが必要であることは明らかである。
【００８７】
筒カナハートカム３６、７０、及び８０を定位置に保持するために、第１の押しボタン４への圧力がまた作用することによって中心の２次ディスプレイ２が停止したときに、機構１００は、金属箔などの摩擦手段（図示せず）を有することが有利である。
【００８８】
第２の押しボタン５が押し込まれると、第２の押しボタン５によってフライバックレバー６０がハート片４２、７２、８２に当接するように移動し、ハート片をそれらの元の位置に戻すことが好ましい。図１６は、第２の押しボタン５によって、フライバックレバー６０がその軸６０Ａを中心にピボット運動しているところを示している。このフライバックレバー６０は、くしのようなハートフランジの間に挿入され、筒カナハートカム３６と筒カナハートカム７０と８０とにそれぞれ取り付けられている２次ディスプレイ２の時針、分針、及び秒針を同時に零にリセットするように、１回の動きで同一の戻り運動を様々なハートカムの全ての周辺カムに行わせるように構成されるハンマー６０Ｘ、６０Ｙ、６０Ｚをピボットとは反対のその端部に有する。
【００８９】
図１４からわかるように、フライバックレバー６０は第１の摺動歯車５４と連動するパイオン５９も第１の摺動歯車５４の表面５９Ａ上に有する。
【００９０】
第２の押しボタン５が作動すると、フライバックレバー６０はピボット運動し、第１の摺動歯車５４をパイオン５９を通して押そうとし、摺動歯車をピボット運動させ、それから動作していればクロノグラフが停止する。逆に、第１の押しボタン４がクロノグラフを始動するために作動すると、パイオン５９、従ってフライバックレバー６０は再び押される。各動作は他方の動作を相殺しようとする。
【００９１】
アーバ６６は、時間帯車組２０のピボット軸２０Ａと同軸のクロノグラフレバー６５のピボットと対向している端部に配置されている。このアーバ６６は、クロノグラフレバー６５の角度位置に依存して長穴６１内を移動可能である。アーバ６６は、摺動歯車の位置に依存して、分筒カナハートカム７０の歯７２とかみ合ったりかみ合わなかったりする歯付きクロノグラフ分駆動車６８を支持している。この歯付き車６８は自由で、時間帯車組２０によって駆動され、１時間あたり１回の回転を完了する。歯付き車６８は分筒カナハートカム７０の歯７２と同じ数の歯を有する。従って後者も、駆動されると、１時間あたり１回の回転を完了する。
【００９２】
第２の摺動歯車の遠くの位置によって、分及び時筒カナハートカム７０と８０へのトルクの伝達が防止されると、それぞれハートカムに接続されている分針及び時針は駆動されないが、それはそれらに接触しているものがないためで、秒ハートカム３６は駆動作用なしに分筒カナハートカム７０内の穴７４内を案内されることによってピボット運動するだけであって、これは時筒カナハートカム８０も同様である。しかし、秒針が動作している場合、他の針も動作するが、それは全ての３つの針がクロノグラフ制御レバー３２によって制御されているからである。
【００９３】
図２１に示しているように、アーバ６６は自由にピボット運動が可能で、互い重ねられ、１つになってピボット運動する歯付きクロノグラフ分駆動車６８、２番車６８Ａ、及び３番車６８Ｂを有する中間分針車組９０を担持している。２番車６８Ａは、２番車を駆動し、時間帯車２５の支持表面２７上に配置され、時間帯車組２０の軸２０Ａと同軸に取り付けられている中間時針車組９１と同軸のクロノグラフ分駆動車６９と噛み合っている。このクロノグラフ分駆動車６９は、たとえば平坦な部分、キーなどを介して時間帯車２５と一体にピボット運動する。中間時針車組９１は軸２０Ａを中心に自由にピボット運動し、クロノグラフ分駆動車６９に重ねられている互いに一体にピボット運動する２番車６９Ａとピニオン７５とを有する。２番車６９Ａは中間分針車組の３番車６８Ｂによって駆動される。それに対してピニオン７５は、時筒カナハートカム８０の歯８２と同じ数の歯を有するアーバ６６上に自由にピボット運動するように取り付けられている中間の時針車７６と噛み合っている。従って、ピニオン７５と車７６との間の減速比は、時筒カナハートカム８０のピボット速度を決定し、それは従来から１２時間で１回転する。自由な中間クロノグラフ時針車７６は、クロノグラフレバー６５の角度位置に依存してクロノグラフ分駆動車６８のように、時筒カナハートカム８０の歯８２と噛み合っていてもいなくてもよい。
【００９４】
１時間あたり１回転の速さで恒常的に回転し、基本ムーブメント６に由来するトルクを伝達することによって確実に駆動するのは摩擦車２１である。これは摩擦車であるため、回転中は、時間帯車組２０の時間帯車２５から係合解除されるかもしれないし、されないかもしれない。要するに、摩擦がある場合、この摩擦車２１は２次ディスプレイ２の全体の駆動を保証する。
【００９５】
第２の零リセットボタン５は、フライバックレバー６０が秒筒カナハートカム３６と分筒カナハートカム７２の上に載り、これらのハートカムがそれらの元の位置に戻るようにフライバックレバー６０を駆動することが好ましい。フライバックばね７７は、ばね７７内に含まれているノッチ７９を介して、フライバックレバー６０内に含まれているパイオン７８と連動したりしなかったりするように構成されるばね７７は、図１７の矢印Ｆ’の向きにこのパイオン７８を通してフライバックレバー６０に作用しようとし、それによってレバーを秒筒カナハートカム３６と分筒カナハートカム７２から離れさせようとする。
【００９６】
他のリターンばね８５は、第２の押しボタン５を外向きに戻そうとする。この第２の押しボタン５が押されたときに、フライバックばね７７の抵抗力に打ち勝たなければならず、それによって、図１９に示している位置から図２０に示している位置までの変化が可能になる。
【００９７】
クロノグラフが動作位置にあるときに、コラムホイール５０の底部の位置で、そしてフライバックレバー６０のパイオン５９上で摺動歯車５４は空転状態である。使用者が、２つの押しボタン４と５とを同時に操作しようとすると、２つの押しボタン４と５への圧力によって、摺動歯車５４をピボット運動させ、クロノグラフ機能を停止させる同じ反応が引き起こされる。
【００９８】
しかし、クロノグラフが停止している場合、第２の押しボタン５への圧力はハートカムを零にリセットするだけであり、それはその移動が限定され、パイオン５９は摺動歯車５４と係合できるだけで、コラムホイール５０が行ったようにそれをさらに押すことはできないからである。第１の押しボタン４が同時に押されると、その結果、第２の押しボタン５がいったん解放されたときにクロノグラフがスタートするだけである。従って、使用者がなんとか押しボタン４と５を同時に操作しても、それは非常に困難ではあって、何も壊れることはないが、それは２つの機能が完全に共存できるからである。
【００９９】
この第１の実施形態における機構１００の動作をまとめると、竜頭３、第１の押しボタン４、第２の押しボタン５、及びディスプレイ上での様々な動作の結果は以下のように記述される。
−Ｔ１、竜頭３がまず押し込まれ、Ｓ／Ｓ（スタート／ストップ）押しボタン４はスタート位置、第２の押しボタン５は無操作。クロノグラフを作動させる。
−Ｔ１、竜頭３がまず押し込まれ、Ｓ／Ｓ押しボタン４はスタート位置、押しボタン５を作動させ、解放。２次ディスプレイ２は零にリセットされ、クロノグラフは即座に再スタート。フライバックは瞬間機能を有し、押し込まれたままで止まることはできず、即座に外側位置に戻る。
−Ｔ１、竜頭３がまず押し込まれ、Ｓ／Ｓ押しボタン４はスタート位置、押しボタン５を押し込んだ位置で保持。２次ディスプレイ２は零にリセットされ、２次ディスプレイ２は停止。
−Ｔ１、竜頭３がまず押し込まれ、Ｓ／Ｓ押しボタン４は停止位置、第２の押しボタン５は無操作。２次ディスプレイ２は解放され、３つの針は第１の押しボタン４によって係合解除されていた定位置に止まる。
−Ｔ１、竜頭３がまず押し込まれ、Ｓ／Ｓ押しボタン４はストップ位置、押しボタン５を作動させ、解放。２次ディスプレイ２は零にリセットされる。フライバックがいったん解放されると、２次ディスプレイ２の３つの針は零にリセットされそこに止まる。
−Ｔ１、竜頭３がまず押し込まれ、Ｓ／Ｓ押しボタン４はストップ位置、押しボタン５を押し込んだ位置で保持。２次ディスプレイ２は零にリセットされ、２次ディスプレイ２は停止。
−Ｔ１の位置では、第１のディスプレイ１又は第２のディスプレイ２の針を設定できない。
−Ｔ２、まず第１の中間の引き出し、Ｓ／Ｓ押しボタン４はスタート位置、第２の押しボタン５は無操作。ディスプレイ１と２を係合解除。係合解除は、竜頭によって達成されず、押しボタンの操作による。２次ディスプレイ２は動作を継続し、その操作は不能。主ディスプレイ１には影響なし。
−Ｔ２、まず第１の中間の引き出し、Ｓ／Ｓ押しボタン４はスタート位置、第２の押しボタン５を作動させ、それから解放。ディスプレイ１と２を係合解除。係合解除は、竜頭によって達成されず、押しボタンの操作による。２次ディスプレイ２は動作を継続し、操作可能。主ディスプレイ１には影響なし。
−Ｔ２、まず第１の中間の引き出し、Ｓ／Ｓ押しボタン４はスタート位置、第２の押しボタン５を押し込んだ位置で保持。ディスプレイ２は停止し、その操作はもはや不能。主ディスプレイ１には影響なし。
−Ｔ２、まず第１の中間の引き出し、Ｓ／Ｓ押しボタン４はストップ位置、第２の押しボタン５は無操作。ディスプレイ１と２を係合解除。２次ディスプレイ２は、針の設定のために操作可能。主ディスプレイ１には影響なし。
−Ｔ２、まず第１の中間の引き出し、Ｓ／Ｓ押しボタン４はストップ位置、第２の押しボタン５を作動させ、それから解放。ディスプレイ１と２を係合解除。２次ディスプレイ２は零にリセット。２次ディスプレイ２は動作を停止。針を設定するための操作不能。主ディスプレイ１には影響なし。
−Ｔ２、まず第１の中間の引き出し、Ｓ／Ｓ押しボタン４はストップ位置、第２の押しボタン５を押し込んで保持。ディスプレイ１と２を係合解除。２次ディスプレイ２は零にリセット。２次ディスプレイ２は停止。針を設定するための操作不能。主ディスプレイ１には影響なし。
−Ｔ３、まず完全な引き出し、Ｓ／Ｓ押しボタン４はスタート位置、第２の押しボタン５は無操作。ディスプレイ１と２を係合。ディスプレイ１と２の両方を同時に操作可能。
−Ｔ３、まず完全な引き出し、Ｓ／Ｓ押しボタン４はスタート位置、第２の押しボタン５を作動させ、それから解放。ディスプレイ２は零にリセット。ディスプレイ１と２の両方を同時に操作可能。
−Ｔ３、まず完全な引き出し、Ｓ／Ｓ押しボタン４はスタート位置、第２の押しボタン５を押し込んで保持。ディスプレイ１と２を係合。２次ディスプレイ２は零にリセット。２次ディスプレイ２は動作を停止。中心を外れている主ディスプレイ２の操作だけが可能。
−Ｔ３、まず完全な引き出し、Ｓ／Ｓ押しボタン４はストップ位置、第２の押しボタン５は無操作。ディスプレイ１と２を係合。ディスプレイ１と２の両方を同時に操作可能。
−Ｔ３、まず完全な引き出し、Ｓ／Ｓ押しボタン４はストップ位置、第２の押しボタン５を作動させ、それから解放。ディスプレイ２は零にリセット。２次ディスプレイ２はロックされ、中心を外れている主ディスプレイ１の操作だけが可能。
−Ｔ３、まず完全な引き出し、Ｓ／Ｓ押しボタン４はストップ位置、第２の押しボタン５を押し込んで保持。ディスプレイ１と２は分離。２次ディスプレイ２は零にリセット。中心を外れている主ディスプレイ２の操作だけが可能。
【０１００】
第２の押しボタン５は押し込んだままにすることを意図していないことは明らかである。第２の押しボタン５を押し込んだままで保持することと、竜頭３を操作することとの組み合わせは、使用者の故意の操作によってだけ達成可能である。
【０１０１】
第１の実施形態よりもさらに有利な図２６〜３６は第２の実施形態を示し、それは部品の数が少ないからで、以降で説明する。多くの共通の要素には同じ番号を同じように付し、第２の実施形態の機構との特別な連動が存在する場合を除いて再度説明はしない。
【０１０２】
この第２の実施形態の目的は、機構を単純化する以外に、２つの押しボタン、第１のスタート／ストップ押しボタン４と第２のリセット押しボタン５の機能の完全な分離を保証することである。
【０１０３】
従って、目的はフライバック機能をいつでも可能にすることである。これを達成するために、クロノグラフ歯車を中心車から係合解除しなければならない。そのため、第２の実施形態は、歯車を上昇させ、力を一切使用せずに容易に接続解除するように構成される特別なクロノグラフ制御レバー１３２を実装する。
【０１０４】
従って、本発明によれば、第２の係合／係合解除制御手段は、第１の係合／係合解除手段の制御手段内に含まれている制御レバー１３２によって支持されている時間帯間機構９３を有する。この時間帯間機構９３は、係合機構であって、ムーブメント６と上部車９６の両方に直接噛み合っている下部車９８を有する。時間帯間機構９３が係合位置にあるときには、上部車９６は少なくとも第２の物理量の筒カナハートカム７０及び／又は第３の物理量の筒カナハートカム８０を直接的又は間接的に駆動するように構成される
【０１０５】
第２の押しボタン４、コラムホイール５０、及びジャンパーばね５３によって構成される機構が保持されている。しかし、図２６においてわかるように、コラムホイール５０は、この第２の実施形態において、第１の実施形態の摺動歯車５４に対して形状が変更されている第１の摺動歯車１５４と相互作用をする。第２の実施形態の第１の摺動歯車１５４は、その周囲に面取りされた縁２５４を有する。この面取りされた縁２５４は、第１の実施形態の停止レバー３２に対して簡略化されている新しいクロノグラフ制御レバー１３２と連動する。
【０１０６】
このクロノグラフ制御レバー１３２は、第１の摺動歯車１５４の面取りされた縁２５４に向き合うように構成される傾斜のついた縁２３２を有する。従って、第１の摺動歯車１５４のピボット運動によって、クロノグラフ制御レバー１３２の第２のピボット軸３０Ａを中心としたピボット運動だけではなく、第１の摺動歯車１５４がピボット運動する方向に依存してクロノグラフ制御レバー１３２の上向き又は下向きのいずれかの、秒ピボット軸３０Ａに平行な直動運動ももたらす。
【０１０７】
図２７と２８とは、ムーブメントの秒ピボット軸３０Ａを中心にピボット運動するクロノグラフ制御レバー１３２を示している。第２のクロノグラフピボット３５、秒リセットハートカム３６、及びばね４８は第１の実施形態と同様に、軸３０Ａの周囲に同軸に配置されている。
【０１０８】
クロノグラフ制御レバー１３２は時間帯間機構９３を保持している。この時間帯間機構９３は、係合機構であって、具体的には、図示している好ましい例においては円錐係合機構であって、図３１と３２からわかるように、レバー１３２のいずれかの側に、ハブ９７によって互いに対して固定されている上部フランジ９４と下部車９８及び、レバー１３２と上部フランジ９４との間のハブ９７に対して軸方向に移動する上部車９６とを有する。
【０１０９】
このハブ９７は、図３１に示している係合位置で、上部車９６内に含まれている相補形状の傾斜９６Ａと連動するように構成される傾斜９７Ａを有し、上部車９６はハブ９７上にばね９５の作動によって押し付けられ、それに対してムーブメント６と噛み合っている下部車９８と同期する。
【０１１０】
この係合位置を図２７と２８に示している。この位置において、表示は、クロノグラフディスプレイ又は時間帯ディスプレイに伝達される。
【０１１１】
図３２はこの時間帯間機構９３の係合解除位置を示している。図２９と３０は、時間帯間機構９３をこの係合解除位置で示し、それはクロノグラフ制御レバー１３２の下方の第１の摺動歯車１５４の係合と第１の摺動歯車１５４によるレバーの上昇とに起因している。従って、上部車９６は上部フランジ９４に向けて上昇し、下部車９８から係合解除される。この位置において、下部車９８はもはや駆動していないが、上部車９６はロックされている。その結果、衝撃が発生しても、クロノグラフ表示は動かず、ブレーキを設ける必要はない。
【０１１２】
図３３は、機構１００内に含まれている時間帯車組１２０の車１２１とかみ合っている時間帯間機構９３を示している。時間帯間機構の係合位置と係合解除位置とをそれぞれ示している図３３Ａと３３Ｂは上部車９６が車１２１と常にかみ合っていることを示している。係合又は係合解除は、相補形状の、好ましくは円錐状のショルダ９７Ａと９６Ａに関してのみ発生する。
【０１１３】
この第２の実施形態において、時間帯車組は、摩擦車を有しておらず、それは係合機能が時間帯間機構９３によって実施されるからである。
【０１１４】
筒カナハートカム３６、７０、及び８０を定位置に保持するために、第１の押しボタン４に対して圧力がまた作用することによって中心の２次ディスプレイ２が停止したときに、機構１００はこの時間帯間機構９３、より具体的にはそのばね９５の摩擦を使用する。ばね９５は上部車９６を上部フランジ９４に対して押し付け、フランジに対する摩擦によって竜頭３の操作が打ち勝つように十分に低く維持されていながら、筒カナハートカムを固定するのに十分な摩擦が発生する。
【０１１５】
図３４はクロノグラフアーバのブリッジ３９の下方の中間組み立て位置にある機構１００を示している。
【０１１６】
図３５は、第１の実施形態の摺動歯車６５を置き換え、時間帯車組１２０のピボット軸２０Ａを中心にピボット運動するように取り付けられているクロノグラフレバー１６５を示している。このクロノグラフレバー１６５は、追加プレート８内に含まれている停止部材１０８に押し付けられている第１の端部の位置にばねアーム２６５を有する。そのピボット軸とばねアーム２６５との間で、クロノグラフレバーは、時間帯車組とクロノグラフディスプレイ、特に２次ディスプレイ２の分筒カナハートカム７０の歯７２と連動するように構成されるクロノグラフ分駆動車６８と、時筒カナハートカム８０の歯８２と連動するように構成される中間クロノグラフ時針車７６との両方と連動する図２１に示している第１の実施形態の車の積層と同様の車の積層を保持している。
【０１１７】
クロノグラフレバー１６５は、第１の端部と反対側の第２の端部の位置に、停止構成において、フライバックレバー６０が第２の押しボタン５によってピボット運動するときにピボット運動制御するためにフライバックレバー６０に支持され、図３６に示しているピン２０８と連動するように構成される支持表面３６５をさらに有する。その結果、筒カナハートカム３６、７０、８０のハート片４２、７２、８２がフライバックレバー６０のハンマー６０Ｘ、６０Ｙ、６０Ｚによって零にリセットされる前に、クロノグラフ分駆動車６８は分筒カナハートカム７０の歯７２から係合解除され、中間クロノグラフ時針車７６は筒カナハートカム８０の歯８２から係合解除される。第２の押しボタン５を解放する効果によって、これらのハンマーがハート片から離れ、それらを自由にピボット運動するままとし、ばね７７によってフライバックレバー６０が戻ることによって、時間帯車組１２０によって駆動されている車が２次ディスプレイ２のハート片と噛み合う。
【０１１８】
図３６は、完成した状態のフライバック機構を備えている第２の実施形態の機構１００を示している。フライバックレバー６０は第１の実施形態と同様である。フライバックレバー６０はクロノグラフレバー１６５がピボット運動ができるようにする凹部１６０を有する。
【０１１９】
この第２の実施形態における機構１００の動作をまとめると、竜頭３、第１の押しボタン４、第２の押しボタン５、及びディスプレイ上での様々な動作の結果は以下のように記述される。
−Ｔ１、まず竜頭３が押し込まれ、Ｓ／Ｓ（スタート／ストップ）押しボタン４はスタート位置、第２の押しボタン５は無操作。クロノグラフ作動。
−Ｔ１、竜頭３がまず押し込まれ、Ｓ／Ｓ押しボタン４はスタート位置、押しボタン５を作動させ、解放。２次ディスプレイ２は零にリセットされ、クロノグラフは即座に再スタート。フライバックは、瞬間機能を有する。押し込まれたままで止まることはできず、即座に外側位置に戻る。
−Ｔ１、竜頭３がまず押し込まれ、Ｓ／Ｓ押しボタン４はスタート位置、押しボタン５を押し込んだ位置で保持。２次ディスプレイ２は零にリセットされ、２次ディスプレイ２は停止。
−Ｔ１、竜頭３がまず押し込まれ、Ｓ／Ｓ押しボタン４は停止位置、第２の押しボタン５は無操作。２次ディスプレイ２は解放され、３つの針は第１の押しボタン４によって係合解除されていた定位置に止まる。
−Ｔ１、竜頭３がまず押し込まれ、Ｓ／Ｓ押しボタン４はストップ位置、押しボタン５を作動させ、解放。２次ディスプレイ２は零にリセットされる。フライバックがいったん解放されると、２次ディスプレイ２の３つの針は零にリセットされそこに止まる。
−Ｔ１、竜頭３がまず押し込まれ、Ｓ／Ｓ押しボタン４はストップ位置、押しボタン５を押し込んだ位置で保持。２次ディスプレイ２は零にリセットされ、２次ディスプレイ２は停止。
−Ｔ１の位置では、第１のディスプレイ１又は第２のディスプレイ２の針を設定できない。
−Ｔ２、まず第１の中間の引き出し、Ｓ／Ｓ押しボタン４はスタート位置、第２の押しボタン５は無操作。ディスプレイ１と２を係合解除。係合解除は、竜頭によって達成されず、押しボタンの操作による。２次ディスプレイ２は動作を継続し、操作可能。主ディスプレイ１には影響なし。
−Ｔ２、まず第１の中間の引き出し、Ｓ／Ｓ押しボタン４はスタート位置、第２の押しボタン５を作動させ、それから解放。ディスプレイ１と２を係合解除。２次ディスプレイ２は零にリセット。フライバックは解放。２次ディスプレイ２は動作を継続し、その針の設定をするために操作可能。主要ディスプレイ１は針の設定に影響されない。
−Ｔ２、まず第１の中間の引き出し、Ｓ／Ｓ押しボタン４はスタート位置、第２の押しボタン５を押し込んで保持。ディスプレイ１と２を係合解除。２次ディスプレイ２は零にリセット。２次ディスプレイ２は停止し操作不能。主ディスプレイ１には影響なし。
−Ｔ２、まず第１の中間の引き出し、Ｓ／Ｓ押しボタン４はストップ位置、第２の押しボタン５は無操作。ディスプレイ１と２を係合解除。２次ディスプレイ２は動作を継続し、両方向に操作可能。主ディスプレイ１には影響なし。
−Ｔ２、まず第１の中間の引き出し、Ｓ／Ｓ押しボタン４はストップ位置、第２の押しボタン５を作動させ、それから解放。ディスプレイ１と２を係合解除。２次ディスプレイ２は零にリセット。２次ディスプレイ２は停止しているが、その針を設定するために両方向に操作可能。主ディスプレイ１には影響なし。
−Ｔ２、まず第１の中間の引き出し、Ｓ／Ｓ押しボタン４はストップ位置、第２の押しボタン５を押し込んで保持。ディスプレイ１と２を係合解除。フライバックは解放。２次ディスプレイ２は動作を停止。２次ディスプレイ２はその針を設定するための操作不能。主ディスプレイ１には影響なし。
−Ｔ３、まず完全な引き出し、Ｓ／Ｓ（スタート／ストップ）押しボタン４はスタート位置、第２の押しボタン５は無操作。ディスプレイ１と２を係合。ディスプレイ１と２の両方を同時に操作可能。
−Ｔ３、まず完全な引き出し、Ｓ／Ｓ押しボタン４はスタート位置、第２の押しボタン５を作動させ、それから解放。ディスプレイ１と２を係合。２次ディスプレイ２は零にリセット。２次ディスプレイ２は動作を継続。フライバックは解放。ディスプレイ１と２の両方を同時に操作可能。
−Ｔ３、まず完全な引き出し、Ｓ／Ｓ押しボタン４はスタート位置、第２の押しボタン５を押し込んで保持。ディスプレイ１と２を係合。２次ディスプレイ２は零にリセット。２次ディスプレイ２は停止。ディスプレイ１だけを操作可能。
−Ｔ３、まず完全な引き出し、Ｓ／Ｓ押しボタン４はストップ位置、第２の押しボタン５は無操作。ディスプレイ１と２を係合。ディスプレイ１と２の両方を同時に操作可能。
−Ｔ３、まず完全な引き出し、Ｓ／Ｓ押しボタン４はストップ位置、第２の押しボタン５を作動させ、それから解放。ディスプレイ１と２は分離。２次ディスプレイ２は零にリセット。フライバックは解放。ディスプレイ１と２の両方を同時に操作可能。
−Ｔ３、まず完全な引き出し、Ｓ／Ｓ押しボタン４はストップ位置、第２の押しボタン５を押し込んで保持。ディスプレイ１と２は分離。２次ディスプレイ２は零にリセット。２次ディスプレイ２は停止。ディスプレイ１だけを操作可能。
【０１２０】
ただし、位置Ｔ３において、操作者が第１のディスプレイだけを操作したい場合、操作者は、この第２の実施形態によって、第２のフライバック押しボタン５を押し込まれた位置に保持し、第１のディスプレイだけの修正を実施する。
【０１２１】
操作者は、クロノグラフが停止している場合、第１のディスプレイだけの修正を実施してもよい。
【０１２２】
第２の実施形態は、既に多数の新しい機能を提供している第１の実施形態よりも、使用者により多くの可能性を提供することがわかる。
【０１２３】
本発明の特定の実施形態において、第１のディスプレイ１は変位し、２次ディスプレイ２は時計１０００の中心の位置にある。既存のムーブメントと比較して、この構成は、たとえは１．８ｍｍ以下の非常に薄い、追加の機構を使用する、又は本発明の機構１００を既存のムーブメント６に容易に統合可能である。逆の構成も可能であるが、ディスプレイ１と２の両方が中心にないため、空間に関しては有利ではない。
【０１２４】
本発明の機構１００は現状のように自由にピボット運動するように取り付けられている２次ディスプレイ２のブレーキ装置を有していないことが有利である。
【０１２５】
本発明は１つのムーブメント６と、第１のディスプレイ１と、設定位置において第１のディスプレイ１の針の設定を日の裏機構１３によって少なくとも調整する竜頭３とを有する時計１０００に追加されるように構成される追加の機構にも関する。この追加の機構は、追加のプレート８上で組み立てられている、前述の実施形態の任意のバージョンの追加のオンデマンド表示機構１００を有する。
【０１２６】
本発明は、デュアルディスプレイを有し、第１のディスプレイ１は通常の時間モードにおいては連続ディスプレイであって、２次ディスプレイ２は追加のディスプレイ、特にクロノグラフ機構のディスプレイである単一のムーブメントを備えている時計用の追加の機構である追加のオンデマンド表示機構１００に特に関する。
【０１２７】
本発明は少なくとも１つの追加のオンデマンド表示機構１００及び／又は少なくとも１つのそのような追加の機構、及び追加のオンデマンド表示機構１００又は追加の機構に連動している少なくとも１つの他のディスプレイを有する複数の表示モジュールにさらに関する。
【０１２８】
より一般的には、本発明は少なくとも１つの追加のオンデマンド表示機構１００と機構１００と連動している少なくとも１つの他のディスプレイとを有する複数の表示モジュールに関する。
【０１２９】
本発明は、少なくとも１つのそのような追加のオンデマンド表示機構１００及び／又は少なくとも１つの追加の機構を有する時計１０００にも関する。
【０１３０】
本発明は第１のディスプレイ１は通常の時間モードでは連続ディスプレイであって、２次ディスプレイ２は追加のディスプレイ、特にクロノグラフ機構のディスプレイであるような、デュアルディスプレイを有する、１つのムーブメントを備えている時計１０００に特に関する。
【０１３１】
当然、この時計はムーブメント６以外のムーブメントを有していてもよいが、ムーブメント６は本明細書に記述しているデュアルディスプレイによって独自なものとなる。
【０１３２】
要するに、本発明は、ディスプレイの各々の独立している制御をいつでも行うことができるデュアルディスプレイを作る問題を解決するために２つの実施形態を提案している。これら２つの実施形態の各々において、特定の位置にある竜頭によって針が設定可能な第１のディスプレイが接続されている既存の時計ムーブメントと、異なる位置にある竜頭によって針が第１のディスプレイから独立して設定可能な第２のディスプレイとの間に係合／係合解除機構が挿入されている。
【０１３３】
この係合解除／係合手段は第１の実施形態において摩擦車によって、また第２の実施形態において円錐係合によって形成される
【０１３４】
これらの実施形態の両方において、本発明の機構１００は通常のクロノグラフ機構、特にフライバック機能を備えているクロノグラフ機構とは異なりブレーキを有しておらず、複雑さ、部品の数、コンパクトさ、及び利用可能なエネルギーに関して非常に有利である。
【図１】
0005818549.tif 000002
【図２】
0005818549.tif 000003
【図３】
0005818549.tif 000004
【図４】
0005818549.tif 000005
【図５】
0005818549.tif 000006
【図６】
0005818549.tif 000007
【図７】
0005818549.tif 000008
【図８】
0005818549.tif 000009
【図９】
0005818549.tif 000010
【図１０】
0005818549.tif 000011
【図１１】
0005818549.tif 000012
【図１２】
0005818549.tif 000013
【図１３】
0005818549.tif 000014
【図１４】
0005818549.tif 000015
【図１５】
0005818549.tif 000016
【図１６】
0005818549.tif 000017
【図１７】
0005818549.tif 000018
【図１８】
0005818549.tif 000019
【図１９】
0005818549.tif 000020
【図２０】
0005818549.tif 000021
【図２１】
0005818549.tif 000022
【図２２】
0005818549.tif 000023
【図２３】
0005818549.tif 000024
【図２４】
0005818549.tif 000025
【図２５】
0005818549.tif 000026
【図２６】
0005818549.tif 000027
【図２７】
0005818549.tif 000028
【図２８】
0005818549.tif 000029
【図２９】
0005818549.tif 000030
【図３０】
0005818549.tif 000031
【図３１】
0005818549.tif 000032
【図３２】
0005818549.tif 000033
【図３３】
0005818549.tif 000034
【図３３Ａ】
0005818549.tif 000035
【図３３Ｂ】
0005818549.tif 000036
【図３３Ｃ】
0005818549.tif 000037
【図３４】
0005818549.tif 000038
【図３５】
0005818549.tif 000039
【図３６】
0005818549.tif 000040